(57)【要約】【課題】外径の異なる複数種類の電線をフェライトコアに対して位置決めする際の、作業性向上を図る。【解決手段】ノイズフィルタＦは、円形の挿通孔１４を有するフェライトコア１２と、挿通孔１４内に収容されたホルダ２０とを備える。ホルダ２０には、第１導電路３０Ａを構成する第１電線３１Ａ又は第２導電路３０Ｂを構成する第２電線３１Ｂを弾性的に保持する弾性保持部２１が形成されている。ホルダ２０は、周方向に間隔を空けて形成され、挿通孔１４の内周に当接することで弾性保持部２１を挿通孔１４と略同心状に位置決めする複数の当接片２７を備えている。【選択図】図１
2016131290.tif 000002
【特許請求の範囲】
【請求項１】
円形の挿通孔を有するフェライトコアと、
前記挿通孔内に収容されたホルダと、
前記ホルダに形成され、導電路を構成する電線を弾性的に保持する弾性保持部と、
前記ホルダに周方向に間隔を空けて形成され、前記挿通孔の内周に当接することで前記弾性保持部を前記挿通孔と略同心状に位置決めする複数の当接片とを備えていることを特徴とするノイズフィルタ。
【請求項２】
前記弾性保持部が、前記電線を包囲する略円弧状の電線保持部を備えていることを特徴とする請求項１記載のノイズフィルタ。
【請求項３】
前記複数の当接片は、前記電線保持部の外周から延出して前記電線保持部よりも径方向外方に配され、前記挿通孔の内周に対し弾性的に当接可能な形態であることを特徴とする請求項２記載のノイズフィルタ。
【請求項４】
前記導電路が、複数本の前記電線によって構成されており、
複数の前記電線保持部が、前記挿通孔と同心の仮想円周上において周方向に等角度ピッチで配されていることを特徴とする請求項２又は請求項３記載のノイズフィルタ。
【請求項５】
フェライトコアに形成された円形の挿通孔内に収容されることでノイズフィルタを構成するものであって、
導電路を構成する電線を弾性的に保持する弾性保持部と、
周方向に間隔を空けて形成され、前記挿通孔の内周に当接することで前記弾性保持部を前記挿通孔と略同心状に位置決めする複数の当接片とを備えていることを特徴とするノイズフィルタ用ホルダ。
【発明の詳細な説明】
【技術分野】
【０００１】
本発明は、ノイズフィルタ及びノイズフィルタ用ホルダに関する。
【背景技術】
【０００２】
特許文献１には、外径の異なる複数種類の導電路を、フェライトコアの内部に安定して保持することのできるノイズフィルタが開示されている。フェライトコアは第１と第２の分割ケース内に収容され、第１分割ケースには、導電路を径方向に挟持する一対の弾性変形可能な挟持部が形成され、第２分割ケースには、一対の挟持部を接近させる方向に押圧する押圧部が形成されている。一対の挟持部は、導電路の外径に応じて弾性変形することにより、導電路を安定して保持することができる。
【先行技術文献】
【特許文献】
【０００３】
【特許文献１】特許第５５２６００７号公報
【発明の概要】
【発明が解決しようとする課題】
【０００４】
一対の挟持部は、その対向方向に対して斜めをなす一対の弾性挟持片を有しており、導電路の外径が異なると、弾性挟持片の弾性変形の仕方が変化するとともに、弾性挟持片における導電路との接触位置も変化する。そのため、導電路をフェライトコアと同心の位置に保持することができない場合があった。尚、外径が異なる複数種類の導電路を、フェライトコアと同心状に保持する手段としては、導電路の外周に肉厚のソフトテープを巻き付けて、導電路の外周とフェライトコアの内周との隙間を埋める方法もある。しかし、ソフトテープを巻き付ける方法は、手間と時間が掛かる。
【０００５】
本発明は上記のような事情に基づいて完成されたものであって、外径の異なる複数種類の電線をフェライトコアに対して位置決めする際の、作業性向上を図ることを目的とする。
【課題を解決するための手段】
【０００６】
第１の発明のノイズフィルタは、
円形の挿通孔を有するフェライトコアと、
前記挿通孔内に収容されたホルダと、
前記ホルダに形成され、導電路を構成する電線を弾性的に保持する弾性保持部と、
前記ホルダに周方向に間隔を空けて形成され、前記挿通孔の内周に当接することで前記弾性保持部を前記挿通孔と略同心状に位置決めする複数の当接片とを備えているところに特徴を有する。
【０００７】
第２の発明のノイズフィルタ用ホルダは、
フェライトコアに形成された円形の挿通孔内に収容されることでノイズフィルタを構成するものであって、
導電路を構成する電線を弾性的に保持する弾性保持部と、
周方向に間隔を空けて形成され、前記挿通孔の内周に当接することで前記弾性保持部を前記挿通孔と略同心状に位置決めする複数の当接片とを備えているところに特徴を有する。
【発明の効果】
【０００８】
弾性保持部に電線を保持し、ホルダを挿通孔内に収容すると、複数の当接片が挿通孔の内周に当接することにより、弾性保持部が挿通孔と略同心状に保持される。弾性保持部は、外径の異なる複数種類の電線を弾性的に保持することができるので、電線の外径に応じて導電路にソフトテープを巻き付ける場合に比べると、作業性が良い。
【図面の簡単な説明】
【０００９】
【図１】実施例１のノイズフィルタに第１導電路を取り付けた状態をあらわす断面図
【図２】ノイズフィルタに第２導電路を取り付けた状態をあらわす断面図
【発明を実施するための形態】
【００１０】
（ａ）第１及び第２の発明は、前記弾性保持部が、前記電線を包囲する略円弧状の電線保持部を備えていてもよい。この構成によれば、電線保持部が略円弧状をなしているので、弾性保持部に導電路を保持する作業が簡単である。
【００１１】
（ｂ）第１及び第２の発明は、（ａ）において、前記複数の当接片は、前記電線保持部の外周から延出して前記電線保持部よりも径方向外方に配され、前記挿通孔の内周に対し弾性的に当接可能な形態であってもよい。この構成によれば、電線保持部が電線の外径に応じて変形しても、当接片は、挿通孔の内周に対して弾性的に当接するようになっているので、外径の異なる複数種類の電線を、安定して位置決めすることができる。
【００１２】
（ｃ）第１及び第２の発明は、（ａ）又は（ｂ）において、前記導電路が、複数本の前記電線によって構成されており、複数の前記電線保持部が、前記挿通孔と同心の仮想円周上において周方向に等角度ピッチで配されていてもよい。この構成によれば、導電路を全体として挿通孔と同心状に保持できるとともに、導電路を構成する全ての電線を、挿通孔の内周から等距離の位置に保持することができる。
【００１３】
＜実施例１＞
以下、本発明を具体化した実施例１を図１〜図２を参照して説明する。本実施例のノイズフィルタＦは、外径寸法の異なる第１導電路３０Ａ（請求項記載の導電路）と、第２導電路３０Ｂ（請求項記載の導電路）に取り付けられ、これらの導電路３０Ａ，３０Ｂのノイズを除去又は低減するようになっている。第１導電路３０Ａは、外径寸法が同一であって断面形状が真円形をなす３本の第１電線３１Ａ（請求項記載の電線）によって構成されている。各第１電線３１Ａは、円形断面の第１導体３２Ａを円形断面の第１絶縁被覆３３Ａで包囲した形態である。第２導電路３０Ｂは、外径寸法が同一であって断面形状が真円形をなす３本の第２電線３１Ｂ（請求項記載の電線）によって構成されている。各第２電線３１Ｂは、円形断面の第２導体３２Ｂを円形断面の第２絶縁被覆３３Ｂで包囲した形態である。第１電線３１Ａの外径寸法は、第２電線３１Ｂの外径寸法よりも小さい。したがって、３本の第１電線３１Ａを束ねたときの第１導電路３０Ａの太さは、３本の第２電線３１Ｂを束ねたときの第２導電路３０Ｂよりも太い。
【００１４】
ノイズフィルタＦは、フィルタケース１０と、フェライトコア１２と、ホルダ２０（請求項記載のノイズフィルタ用ホルダ２０）とを備えて構成されている。フィルタケース１０は、半円弧形をなす一対のケース構成体１１を合体させて構成され、円筒形をなしている。フェライトコア１２は、半円弧形をなす一対のコア構成体１３を合体させて構成され、貫通形態の円筒形をなしている。フェライトコア１２の内部は、第１導電路３０Ａと第２導電路３０Ｂのいずれかを挿通させる挿通孔１４となっている。フェライトコア１２（挿通孔１４）の軸線と平行に見たときの挿通孔１４の形状は、フェライトコア１２と同心の真円形である。フェライトコア１２は、フィルタケース１０内に収容されている。
【００１５】
ホルダ２０は、合成樹脂製の単一部品であり、第１導電路３０Ａと第２導電路３０Ｂのうちいずれかを保持した状態で挿通孔１４内に収容されるようになっている。ホルダ２０は、弾性保持部２１と、３つの当接片２７とを一体に形成したものである。弾性保持部２１は、ホルダ２０の中央に配された支持部２２と、支持部２２の外周から片持ち状に延出した形態の３つの電線保持部２３とから構成されている。
【００１６】
支持部２２は、ホルダ２０を挿通孔１４内に収容したときに挿通孔１４の中央に配される。フェライトコア１２の軸線と平行に見たときの支持部２２の形状は、概ね正三角形である。フェライトコア１２の軸線と平行に見たときの電線保持部２３の形状は、略円弧形（略Ｃ字形）をなしている。電線保持部２３の基端部２４は、支持部２２の外周に連なっている。電線保持部２３は、支持部２２の外周から湾曲しながら片持ち状に延出した形態である。電線保持部２３は、その全体が支持部２２よりも径方向外方（つまり、支持部２２よりも挿通孔１４の内周に近い領域）に位置している。
【００１７】
３つの電線保持部２３の形状と大きさは、全て同一である。３つの電線保持部２３は、支持部２２の中心を基準とする周方向において、１２０°の等角度ピッチで配置されている。各電線保持部２３は、その曲率を変化させるように弾性変形し得るようになっている。電線保持部２３が弾性変形していない自由状態においては、電線保持部２３の基端部２４と延出端部２５（自由端部）との間の開口部２６の開口寸法は、電線保持部２３の内径よりも小さい寸法に設定されている。また、自由状態における開口部２６の開口寸法は、第２電線３１Ｂの外径よりも小さい寸法である。
【００１８】
当接片２７は、弾性保持部２１の外周から湾曲しながら片持ち状に延出した形態である。当接片２７の基端部２８は、弾性保持部２１の外周のうち延出端部２６よりも少し基端部２５寄りの位置に連なっている。フェライトコア１２の軸線と平行に見たときの当接片２７の形状は、略Ｕ字形をなしている。当接片２７の延出端部２９は、当接片２７の基端部２８よりも径方向外方に配されている。３つの当接片２７の形状と大きさは、全て同一である。３つの当接片２７は、支持部２２の中心を基準とする周方向において、１２０°の等角度ピッチで配置されている。各当接片２７は、その基端部２８と延出端部２９との間隔を変化させるように弾性変形し得るようになっている。電線保持部２３と当接片２７が弾性変形していない状態において、３つの当接片２７の延出端部２９を通る仮想円（図示省略）の半径は、挿通孔１４の内径よりも大きい寸法に設定されている。
【００１９】
次に、本実施例の作用を説明する。第１導電路３０ＡにノイズフィルタＦを取り付ける際には、まず、ホルダ２０の３つの電線保持部２３には、夫々、第１電線３１Ａを保持させる。このとき、電線保持部２３を拡開するように弾性変形させ、その基端部２４と延出端部２５との間の開口部２６を拡げ、その拡げた開口部２６を通して第１電線３１Ａを電線保持部２３の内部に収容する。収容された第１電線３１Ａは、電線保持部２３の縮径方向の弾性復元力により電線保持部２３に保持される。保持された第１電線３１Ａは、軸線方向、周方向及び径方向のいずれの方向においても、電線保持部２３（弾性保持部２１）に対する相対変位を規制される。
【００２０】
上記のようにしてホルダ２０に第１導電路３０Ａ（３本の第１電線３１Ａ）を保持した後、そのホルダ２０を挟むようにしてコア構成体１３を合体させ、フェライトコア１２を構成する。これにより、ホルダ２０と第１導電路３０Ａが挿通孔１４内に収容された状態となる。上記のように、ホルダ２０が弾性変形していない状態において、３つの当接片２７の延出端部２９を結んだ仮想円の直径寸法は、挿通孔１４の直径寸法よりも大きく設定されている。そして、電線保持部２３の外径は、第１電線３１Ａを保持したことによって拡径し、この電線保持部２３の拡径変形に伴って当接片２７の位置が径方向外方へ変位している。したがって、３つの当接片２７は、径方向に弾性変形した状態で、その延出端部２９を挿通孔１４の内周に当接させる。
【００２１】
このように、挿通孔１４の内周には、３つの当接片２７による弾性的な押圧力が３方向から作用する。この当接片２７の弾性押圧作用により、挿通孔１４内においてホルダ２０が位置決めされる。３つの当接片２７と３つの電線保持部２３は、いずれも、周方向において１２０°の等角度ピッチで配されているので、ホルダ２０は、挿通孔１４と同心状に位置決めされる。そして、３本の第１電線３１Ａによって構成される第１導電路３０Ａも、挿通孔１４（フェライトコア１２）に対して同心状に位置決めされる。
【００２２】
また、第２導電路３０ＢにノイズフィルタＦを取り付ける際には、第１導電路３０Ａに取り付ける場合と同じ手順で取付け作業を行えばよい。第２導電路３０Ｂを構成する第２電線３１Ｂの外径寸法は、第１電線３１Ａの外径よりも小さいので、第２導電路３０Ｂをホルダ２０に保持したときの電線保持部２３の弾性変形量は、第１導電路３０Ａを保持したときよりも小さい。したがって、第２導電路３０Ｂを保持したときの当接片２７の弾性変形量は、第１導電路３０Ａを保持するときよりも小さい。しかし、第２電線３１Ｂは第１電線３１Ａに比べて細いので、第２導電路３０Ｂに曲げ力が作用したときに第２電線３１Ｂから電線保持部２３に作用する反力は、第１導電路３０Ａを保持しているときよりも小さい。したがって、当接片２７から挿通孔１４の内周に作用する弾性押圧片が弱くても、ホルダ２０が挿通孔１４内で径方向に位置ずれする虞はない。
【００２３】
本実施例のノイズフィルタＦは、円形の挿通孔１４を有するフェライトコア１２と、挿通孔１４内に収容されたホルダ２０とを備える。ホルダ２０は、挿通孔１４内に収容されることでノイズフィルタＦを構成する。ホルダ２０には、電線保持部２３と３つ（複数）の当接片２７が形成されている。弾性保持部２１は、第１導電路３０Ａを構成する第１電線３１Ａ又は第２導電路３０Ｂを構成する第２電線３１Ｂを弾性的に保持する。３つの当接片２７は、ホルダ２０に周方向に間隔を空けて形成され、挿通孔１４の内周に当接することで弾性保持部２１を挿通孔１４と略同心状に位置決めする。
【００２４】
弾性保持部２１に電線を保持し、ホルダ２０を挿通孔１４内に収容すると、３つの当接片２７が挿通孔１４の内周に当接することにより、弾性保持部２１が挿通孔１４と略同心状に保持される。弾性保持部２１は、外径の異なる複数種類の電線を弾性的に保持することができるので、電線の外径に応じて導電路にソフトテープを巻き付ける場合に比べると、作業性が良い。
【００２５】
また、弾性保持部２１は、第１電線３１Ａ又は第２電線３１Ｂを包囲する略円弧状の電線保持部２３を備えている。この構成によれば、電線保持部２３が略円弧状をなしているので、弾性保持部２１に第１導電路３０Ａ及び第２導電路３０Ｂを保持する作業が簡単である。
【００２６】
また、３つの当接片２７は、電線保持部２３の外周から延出して電線保持部２３よりも径方向外方に配されている。そして、３つの当接片２７は、挿通孔１４の内周に対し弾性的に当接可能である。この構成によれば、電線保持部２３が導電路の外径に応じて変形しても、当接片２７は、挿通孔１４の内周に対して弾性的に当接するようになっている。したがって、外径の異なる２種類（複数種類）の電線３１Ａ，３１Ｂを、安定して位置決めすることができる。
【００２７】
また、第１導電路３０Ａは３本（複数本）の第１電線３１Ａによって構成され、第２導電路３０Ｂは３本（複数本）の第２電線３１Ｂによって構成されている。そして、３つ（複数）の電線保持部２３は、挿通孔１４と同心の仮想円周上において周方向に等角度ピッチで配されている。この構成によれば、第１導電路３０Ａ及び第２導電路３０Ｂを全体として挿通孔１４と同心状に保持できる。また、第１導電路３０Ａを構成する全ての第１電線３１Ａを、挿通孔１４の内周から等距離の位置に保持することができるとともに、第２導電路３０Ｂを構成する全ての第２電線３１Ｂを、挿通孔１４の内周から等距離の位置に保持することができる。
【００２８】
＜他の実施例＞
本発明は上記記述及び図面によって説明した実施例に限定されるものではなく、例えば次のような実施例も本発明の技術的範囲に含まれる。
（１）上記実施例では、当接片が、電線保持部の外周から径方向外方へ突出しているが、当接片は、電線保持部の外周とは異なる位置から径方向外方へ突出した形態であってもよい。この場合、当接片は、弾性変形せずに挿通孔の内周に当接するようになっていてもよい。
（２）上記実施例では、導電路が３本の電線で構成されているが、本発明は、導電路が２本の電線、又は４本以上の電線で構成されていてもよい。
（３）上記実施例では、導電路が複数本の電線で構成されているが、本発明は、導電路が１本の電線だけで構成されている場合にも適用できる。
（４）上記実施例では、フェライトコアが２つの半円弧形のコア構成体を合体させた形態であるが、本発明は、フェライトコアが非分割タイプの単一部品である場合にも適用できる。
（５）上記実施例では、フェライトコアが円環形であり、フェライトコアに形成されている挿通孔が１つだけであるが、本発明は、フェライトコアの外周形状が長円形又は楕円形であり、フェライトコアに複数の挿通孔が形成されている場合にも適用できる。この場合、各挿通孔内にノイズフィルタ用ホルダを収容することができる。
（６）上記実施例では、複数の当接片が、周方向において等角度ピッチで配されているが、複数の当接片は、周方向において不等角度ピッチで配されていてもよい。
（７）上記実施例では、ホルダを単一部品としたが、ホルダは、複数の部品を組み付けて構成されていてもよい。
【符号の説明】
【００２９】
Ｆ…ノイズフィルタ
１２…フェライトコア
１４…挿通孔
２０…ホルダ
２１…弾性保持部
２３…電線保持部
２７…当接片
３０Ａ…第１導電路（導電路）
３０Ｂ…第２導電路（導電路）
３１Ａ…第１電線（電線）
３１Ｂ…第２電線（電線）
【図１】
2016131290.tif 000003
【図２】
2016131290.tif 000004